(57)【要約】【課題】電源ＩＣの特性に関係なく，モータから発生する誘起電圧で電源回路が誤起動することのない洗濯機または洗濯乾燥機を提供する。【解決手段】水を溜める外槽と，この外槽内に設置される洗濯槽と，この洗濯槽を回転させるモータと，このモータを制御する基板を備え，この基板が，商用電源を平滑させる平滑回路と，この平滑回路からの直流電圧を受け前記モータへの供給を行なうインバータ回路と，このインバータ回路を制御する制御回路と，前記商用電源を用いて前記制御回路の電源電圧を出力する電源回路を有する洗濯機または洗濯乾燥機において，前記平滑回路と前記インバータ回路を接続および分離する分離回路を設けた。【選択図】  図４
2016022288.tif 000002
【特許請求の範囲】
【請求項１】
水を溜める外槽と，この外槽内に設置される洗濯槽と，この洗濯槽を回転させるモータと，このモータを制御する基板を備え，
この基板が，商用電源を平滑させる平滑回路と，この平滑回路からの直流電圧を受け前記モータへの供給を行なうインバータ回路と，このインバータ回路を制御する制御回路と，前記商用電源を用いて前記制御回路の電源電圧を出力する電源回路を有する洗濯機または洗濯乾燥機において，
前記平滑回路と前記インバータ回路を接続および分離する分離回路を設けたことを特徴とする洗濯機または洗濯乾燥機。
【請求項２】
請求項１に記載の洗濯機または洗濯乾燥機において，前記分離回路の接続および分離の動作を，前記制御回路が行うことを特徴とする洗濯機または洗濯乾燥機。
【請求項３】
請求項１に記載の洗濯機または洗濯乾燥機において，前記分離回路の接続および分離の動作を，前記電源回路が行うことを特徴とする洗濯機または洗濯乾燥機。
【発明の詳細な説明】
【技術分野】
【０００１】
家庭用の洗濯機および洗濯乾燥機に関する。
【背景技術】
【０００２】
従来，洗濯機および洗濯乾燥機は，外槽内に回転自在に設置した洗濯槽と，洗濯槽の底部に回転自在に設置した洗濯翼と，洗濯槽および洗濯翼を回転駆動する電導駆動装置を備え，電導駆動装置によって洗濯槽および洗濯翼をクラッチによる切り替え手段で選択的に回転駆動することにより，洗濯槽内の洗濯物を撹拌して洗い工程とすすぎ工程を行い，その後，洗濯槽を高速回転させて洗濯物を遠心脱水する構成である。
【０００３】
電導駆動装置は，インバータ回路により電動機に電圧を供給する構成であり，また電動機としてＤＣブラシレスモータを使用して，多様な洗濯および脱水運転を実現することができるようにした洗濯機および洗濯乾燥機が特許文献１で提案されている。また，ＤＣブラシレスモータと洗濯機の制御回路の電源電圧を出力させる電源回路が接続されている回路構成が特許文献２に示されている。
【先行技術文献】
【特許文献】
【０００４】
【特許文献１】特開平９−１２１５８４号公報
【特許文献２】特開２００１−４６７８２号公報
【発明の概要】
【発明が解決しようとする課題】
【０００５】
しかしながら，近年，洗濯機および洗濯乾燥機の動作を制御する回路および負荷を駆動させるための電源電圧を出力する電源回路で使用する電源ＩＣは低損失化に伴い性能が向上し，より低電圧で起動が可能な電源ＩＣが提案されている。このため，従来の起動電圧に対し低い電圧で電源回路を起動することが可能となっている。一方，モータが回転すると発生する誘起電圧はインバータ回路と平滑回路を経由して電源回路に印加されることになるが，従来はモータが回転するときに発生する誘起電圧では電源回路の起動電圧に達しないためモータの誘起電圧によって電源回路の誤起動が発生することはなかった。しかし，前述したような電源ＩＣを用いた電源回路の場合は，電源回路の起動電圧が従来の電圧より低下する傾向にあり，モータの誘起電圧が電源回路の起動電圧に達してしまう可能性があるため，その場合には，電源回路が誤起動してしまうといった懸念が生じるという課題があった。
【０００６】
本発明は，上記課題を解決するもので，電源ＩＣの特性に関係なく，モータから発生する誘起電圧で電源回路が誤起動することのない洗濯機または洗濯乾燥機を提供することを目的とする。
【課題を解決するための手段】
【０００７】
本発明は，従来の課題を解決するために，水を溜める外槽と，この外槽内に設置される洗濯槽と，この洗濯槽を回転させるモータと，このモータを制御する基板を備え，この基板が，商用電源を平滑させる平滑回路と，この平滑回路からの直流電圧を受け前記モータへの供給を行なうインバータ回路と，このインバータ回路を制御する制御回路と，前記商用電源を用いて前記制御回路の電源電圧を出力する電源回路を有する洗濯機または洗濯乾燥機において，前記平滑回路と前記インバータ回路を接続および分離する分離回路を設けたものである。
【発明の効果】
【０００８】
本発明によれば，洗濯機または洗濯乾燥機に搭載されたモータが回転するときに発生する誘起電圧が電源回路に印加される経路にある，平滑回路とインバータ回路を分離させることにより，モータの誘起電圧が電源回路に印加されないようにできる。その結果、電源ＩＣの特性に関わらず，モータの誘起電圧で電源回路が誤起動することを抑制し，安全性の高い洗濯機または洗濯乾燥機を提供することが可能となる。
【図面の簡単な説明】
【０００９】
【図１】本発明の一実施形態を示す洗濯機の縦断面図である。
【図２】従来のコントロール基板の回路構成を示すブロック図である。
【図３】従来のコントロール基板におけるモータ誘起電圧発生時状態を示すブロック図である。
【図４】第１の実施例におけるコントロール基板の回路構成を示すブロック図である。
【図５】第２の実施例におけるコントロール基板の回路構成を示すブロック図である。
【図６】図４に相当する，他の実施例における回路構成を示すブロック図である。
【図７】図５に相当する，他の実施例における回路構成を示すブロック図である。
【発明を実施するための形態】
【００１０】
図１は本発明の一実施形態を示す洗濯機の縦断面図である。図１に示す洗濯機の縦断面図において，洗濯機は洗濯機外枠１と、洗濯機外枠１を下から支持する外枠ベース２、洗濯機外枠１の上に設けられたトップカバー３、トップカバー３に開閉自在に備わる蓋４が設けられている。外槽５は洗濯機外枠１の上側内部に設けたコーナ支持部８より垂下する吊棒７に防振バネ２１を介して防振支持される。
【００１１】
洗濯槽９は外槽５内に回転自在に置かれる。モータ１９としてのＤＣブラシレスモータは外槽５の底側下面に設けられる。モータ１９はフランジ２０を用いて外槽５に取り付けられる。モータ１９の回転主軸３３は洗濯槽９の底面フランジ３９に固定され、洗濯槽９を支持する。
【００１２】
回転主軸３３の中心には洗濯槽９内に回転自在に置かれる洗濯翼１１を正逆回転させる内側回転軸（図示せず）が備わっている。モータ１９は、クラッチ３１による切り替え手段（図示せず）で洗濯槽９と洗濯翼１１の回転動作を切り替えられる。洗濯物３８の洗いでは，モータ１９は正逆回転し，洗濯翼１１も正逆回転し洗濯物３８の撹拌が行われる。洗濯物３８の脱水では，モータ１９は高速で回転し，洗濯槽９も高速回転し，洗濯槽９の胴体に設けた脱水穴１２から遠心脱水が行われる。
【００１３】
排水電磁弁２２は外槽５の底部に設けた排水口に連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。
【００１４】
コントロール基板２７はトップカバー３の後側（図示せず）に備えられる。電源スイッチ４０はトップカバー３の前側に設けられる。電源スイッチ４０を投入し，表示基板３６に設けられる各種入力スイッチを操作して洗濯機の動作を設定する。
【００１５】
外槽５内に貯留する洗濯水の水位は水圧の変化により水位センサー４１により検知され，その水位情報はコントロール基板２７に提供され，給水と排水を制御する。
【００１６】
排水電磁弁２２は外槽５の底部に設けた排水口２２ａに連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。排水電磁弁２２の開閉，モータ１９の運転，停止，速度調整はコントロール基板２７により制御される。
【００１７】
ここで，コントロール基板と周辺部品の従来の構成例について，図２および図３を用いて説明する。
【００１８】
コントロール基板２７はモータ１９の動作を制御する回路が搭載されている。まず，電源スイッチ４０がＯＮしている時，図２に示すように，平滑回路５２は商用電源５１から供給された電圧を，モータ１９を駆動させるための電圧に平滑し，平滑した電圧はインバータ回路５４に供給される。一方，電源回路５５は商用電源５１から電圧が供給されると起動し，インバータ回路５４を制御するための制御回路５７に電圧を出力する。電源回路から電圧を供給された制御回路５７はインバータ回路５４を制御しモータ１９に電圧を供給し，モータを回転させる。
【００１９】
しかし，図３に示すように，電源スイッチ４０がＯＦＦしている時は，商用電源５１は供給されず，モータ１９を回転させることによって発生する誘起電圧がインバータ回路５４と平滑回路５２を経由して電源回路５５に印加される。一方，電源回路５５で使用する電源ＩＣ５６は低損失化に伴い性能が向上したため，より低電圧で起動が可能な電源ＩＣ５６が提案されており，低い電圧で電源回路５５が起動することが可能となっている。ゆえに，モータ１９から発生した誘起電圧が電源回路５５の起動電圧に達してしまう可能性があり，電源回路５５が誤起動してしまうといった懸念が生じていた。
【００２０】
そこで，本実施形態では，平滑回路５２とインバータ回路５４を接続および分離する分離回路５３を新たに設け，モータ１９が回転するときに発生する誘起電圧が電源回路５５に印加されないようにできる構成とした。
【００２１】
図４は，第１の実施例を示す，コントロール基板２７と周辺部品の回路構成である。まず，電源スイッチ４０がＯＮしている時，平滑回路５２は商用電源５１から供給された電圧を，モータ１９を駆動させるための電圧に平滑する。平滑した電圧を，分離回路５３を経てインバータ回路５４に供給される。電源スイッチ４０がＯＦＦしている時は，商用電源５１が供給されず，モータ１９を回転させたときに発生する誘起電圧は，分離回路５３でインバータ回路５４と平滑回路５２を分離させることによって，電源回路５５に供給させず，電源回路５５の誤起動を抑制する。分離回路５３の分離および接続の制御は制御回路５７で行う。
【００２２】
本実施例によれば，分離回路５３の動作を制御回路５７のマイコンで制御することが可能なため，分離回路５３以降の回路で不具合があった場合に，保護機能として分離回路５３をＯＮ→ＯＦＦできる。また，分離回路５３以降の回路を使用していないときはＯＦＦし，使用するときにのみＯＮにすることで，消費電流を抑えることも可能である。
【００２３】
また，図５は，第２の実施例を示す回路構成であり，本実施例では分離回路５３の分離および接続の制御を，電源回路５５の分離回路５３への駆動電圧供給の有無で行うのが特徴である。本実施例によれば，第１の実施例と異なり、制御回路５７を用いなくても，電源回路５５の動作のみで分離回路５３を制御できるので，分離回路５３を制御するための新たな部品が不要となり，低コスト化と基板の小型化が可能である。
【００２４】
上述の実施例は，平滑回路５２とインバータ回路５４の間に，分離回路５３を設ける回路構成であるが，この分離回路５３を平滑回路５２の上流側に設ける回路構成としても良い。この場合の例を示したものが図６および図７である。図６は，分離回路５３の接続／分離の動作を制御回路５７が行うものであり，図７は，分離回路５３の接続／分離の動作を電源回路５５が行うものである。このような回路構成であっても，モータ１９が回転するときに発生する誘起電圧が電源回路５５に印加されないようにできる。したがって，低損失化に伴い性能が向上した電源ＩＣ５６を電源回路５５で使用しても，電源回路５５が誤起動することを抑制することが可能となり，安全性の高い洗濯機を提供できる。
【００２５】
なお，このような回路構成を有する基板を搭載した洗濯機であれば，洗濯翼を洗濯槽の底に設置する縦型の洗濯機や洗濯乾燥機に限らず，ドラム式の洗濯機や洗濯乾燥機であっても良い。
【符号の説明】
【００２６】
モータ  １９
コントロール基板  ２７
商用電源  ５１
平滑回路  ５２
分離回路  ５３
インバータ回路  ５４
電源回路  ５５
制御回路  ５７
【図１】
2016022288.tif 000003
【図２】
2016022288.tif 000004
【図３】
2016022288.tif 000005
【図４】
2016022288.tif 000006
【図５】
2016022288.tif 000007
【図６】
2016022288.tif 000008
【図７】
2016022288.tif 000009